(57)【要約】      （修正有）【課題】歩行者が携帯できるように軽量・小型で、しかも手に荷物を持っている場合であっても自分の行き先を確認することができる地図検索システムの機能を有する腕時計を提供する。【解決手段】液晶ディスプレイ等の表示画面を有する腕時計であって、地図検索システム１０の機能を有し、地図検索システム１０は、地図情報データベース１７と、現在位置検出部１６と、切替処理部１１と、情報生成処理部１２と、表示制御部１３とで腕時計の表示部を構成する。【選択図】図２
0003147833.tif 000002
【実用新案登録請求の範囲】
【請求項１】
液晶ディスプレイ等の表示画面を有する腕時計であって、地図データを格納した地図情報データベースと、移動する移動体の現在位置、進行方位等を検出し出力する現在位置検出部と、切替表示を操作することで表示内容を時計表示から現在位置表示に変更させる切替処理部と、操作された前記切替表示の指示に従い現在位置表示情報を生成する情報生成処理部と、生成された前記現在位置表示情報を前記表示画面に表示する表示制御部とを備えた地図検索システムの機能を有することを特徴とする腕時計。
【請求項２】
請求項１に記載の腕時計において、前記現在位置検出部がＧＰＳ受信制御部であることを特徴とする腕時計。
【考案の詳細な説明】
【技術分野】
【０００１】
本考案は、外出時に手軽に自分の居る位置や行き先等を確認することができる地図検索システムの機能を有する腕時計に関する。
【背景技術】
【０００２】
従来、例えば外出した途中で自分の居る位置や行き先を確認するには、自分の居る位置を電信柱等に貼付されている住所表示掲示板で確認し、その住所と携帯している地図を照合して行く場所までの道順等を確認していた。しかし、この方法だと、手に荷物を持っている場合に、両手が使えないので地図帳を広げて見ることができず、荷物を道路等に置く必要があり、歩きながら確認することが難しかった。また、雨の日には、傘を差して確認するため、両手を思うように使うことが出来ないばかりか地図が雨に濡れて破損する等の不具合もあった。また、夜の場合には、街路灯の近くに寄って地図を読まなければならないが、街路灯の明かりが暗いので小さな文字の書いてある地図を読み間違えてしまう不都合があった。更に、山間部等の人口過疎地帯では、住所表示掲示板がないので、自分の居場所さえ分からず、地図を携帯していても役に立たないことがあった。
【０００３】
また、自動車には道順案内などを行いドライバーの運転を支援するカーナビゲーションシステムが装着されているが、システムが大掛かりで重量も重く、歩行者が携帯用として持ち運ぶのには不都合であった。
【考案の開示】
【考案が解決しようとする課題】
【０００４】
本考案は、かかる上述の問題点を解決するためになされたものであって、その目的とするところは、歩行者が携帯できるように軽量・小型で、しかも手に荷物を持っている場合であっても自分の行き先を確認することができる地図検索システムの機能を有する腕時計を提供することである。
【０００５】
また、別の目的は、住所表示掲示板等を探すことなく歩行中に自分の居る場所を確認することができる地図検索システムの機能を有する腕時計を提供することである。
【課題を解決するための手段】
【０００６】
上記目的を達成するため、本考案の請求項１に腕時計は、液晶ディスプレイ等の表示画面を有する腕時計であって、地図データを格納した地図情報データベースと、移動する移動体の現在位置、進行方位等を検出し出力する現在位置検出部と、切替表示を操作することで表示内容を時計表示から現在位置表示に変更させる切替処理部と、操作された前記切替表示の指示に従い現在位置表示情報を生成する情報生成処理部と、生成された前記現在位置表示情報を前記表示画面に表示する表示制御部とを備えた地図検索システムの機能を有することを特徴とするものである。
【０００７】
また、本考案の請求項２に係る腕時計は、請求項１に記載の腕時計において、前記現在位置検出部がＧＰＳ受信制御部であることを特徴とするものである。
【考案の効果】
【０００８】
本考案は、以下の効果を奏する。
【０００９】
すなわち、上記構成を備えた請求項１に係る腕時計は、地図検索システムの機能が内臓されているので、地図検索装置を別個に持ち歩く必要がなく歩行者が携帯するのに好適である。しかも、腕に巻いて使用できるので、手に荷物を持っていても地図を確認することができ、例えば雨の日なども濡れずに地図を確認することができる。
【００１０】
また、地図検索システムが地図情報データベースと、現在位置検出部と、切替処理部と、情報生成処理部と、表示制御部とで構成されているので小型軽量化が可能となり、腕時計に内蔵するのに最適である。
【００１１】
更に、ＧＰＳ等の現在位置検出部を有しているので、自分が居る位置を電信柱等に貼付されている住所表示掲示板等を捜して確認する必要がなく、しかも自分の居る位置を地図の上に表示することもできるので、これから行く場所までの道順等を容易に確認することができる。
【考案を実施するための最良の形態】
【００１２】
つぎに本考案の実施形態を図面にしたがって説明する。
【００１３】
図1は、本考案の実施形態に係る腕時計の概略図である。図1に示す通り、この腕時計１は、地図検索システムの機能を有する腕時計であり、通常の腕時計と同様に腕や足等に装着することができ、或いはベルト、バック等に取り付けることができる。
【００１４】
この腕時計１は、時刻等の時計表示をすると共に、地図検索システムの機能を有する。即ち、通常は時計表示であるが、表示画面２の右上の表示されている切替３を操作することで、現在位置表示に変更することが出来るようになっている。
【００１５】
図２は、地図検索システム１０の機能ブロック図である。図２に示すように、表示内容を時計表示から現在位置表示に変更させる切替処理部１１、操作された切替３の指示に従い情報を生成する情報生成処理部１２、生成された情報を表示画面２に表示する表示制御部１３から構成される。
【００１６】
情報生成処理部１２は、現在位置を確認するためのＧＰＳ受信制御部１６から取得した現在位置情報と、取得した現在位置情報に基き地図情報データベース（以下「地図情報ＤＢ」と記す。）１７から取得した地図情報を処理することで、現在位置の住所又は現在位置を含む周辺の地図に関する情報を生成する。
【００１７】
図３は、切替３が操作されることで現在位置の住所又は現在位置を含む周辺の地図に関する情報が表示される切替処理のフローチャート図である。
【００１８】
切替３が操作されると、現在位置情報を取得するためＧＰＳ受信制御部１６に命令を出し、命令を受けたＧＰＳ受信制御部１６は、ＧＰＳ衛星から現在位置の緯度・経度に関する情報を取得する（ステップ１０１）。
【００１９】
取得された現在位置の緯度・経度情報に関する情報より地図情報ＤＢを検索し、現在位置を中心とした地図を取得する（ステップ１０２）。
【００２０】
次いで、使用者に対し、現在位置表示情報の表示タイプを確認するメニューを表示画面２に表示する（ステップ１０３）。表示タイプは、住所形式、又は現在位置を含む周辺の地図形式の２種類である。
【００２１】
ステップ１０３で住所形式が選択されると住所情報への変換がおこなわれた後に（ステップ１０４）、表示画面２に住所が表示される（ステップ１０５）。
【００２２】
ステップ１０３で地図形式が選択される取得された地図が表示される（ステップ１０６）。
【００２３】
住所形式又は地図形式のいずれが表示された場合であっても、一定時間経過後に使用者に対し、現在位置表示情報を継続して表示することを確認するメニューを表示画面２に表示する（ステップ１０７）。
【００２４】
尚、この確認するための時間は、使用者の好みにより変更できるようになっている。
【００２５】
以上のとおり、この腕時計１は、通常は時計表示であるが、切替３を操作することでＧＰＳ受信制御部１６を装備した地図検索システム１０の機能により表示画面２に現在位置表示情報を表示することが可能となる。従って、外出時に行き先が分からない場合であっても容易に現在いる位置の住所、及び現在いる位置から行き先までの道順を表示画面２に表示できる。しかも腕に固定されているので、手に荷物を持っている場合であっても表示画面２の内容を容易に確認することができる。
【図面の簡単な説明】
【００２６】
【図１】本考案の好適な実施形態のひとつである腕時計の概略図である。
【図２】地図検索システムの機能ブロック図である。
【図３】時計表示を切換えて現在位置表示情報を表示する処理のフローチャート図である。
【符号の説明】
【００２７】
１      腕時計
２      表示画面
３      切替
１０    地図検索システム
１１    切替処理部
１２    情報生成処理部
１３    表示制御部
１６    ＧＰＳ受信制御部
１７    地図情報ＤＢ
１０１  現在位置情報取得
１０２  地図情報ＤＢ検索
１０３  表示タイプ判定
１０４  住所変換
１０５  住所表示
１０６  地図表示
１０７  続行判定
【図１】
0003147833.tif 000003
【図２】
0003147833.tif 000004
【図３】
0003147833.tif 000005